(57)【要約】【課題】  ゴルフ練習装置として、ゴルフボールの供給と、ティーアップを可能にしたゴルフボール供給ティーアップ装置を提供する。【解決手段】  マット３上に立設され、内部にゴルフボール２を収容可能なストッカー１０からボール２を、先端近傍に設けられたボールゲート機構４０を介して１個ずつ排出し、ティーアップ位置にボール２を供給可能なボール供給装置１０と、ティーアップ位置のボール２を、マット３上に設けられたペダル３１の押下により、バネ２７により初期位置を保持するロッド部材２３を、バネ２７の付勢力に抗して押し下げて降下させ、ペダル押下を解除してバネ２７によりティーアップ位置に復帰可能なティーアップ装置２０とを備える。ペダル押下に伴い、ボールゲート機構４０を動作させて、ボール２を１個のみボール供給装置１０からティーアップ位置まで排出供給し、その後のペダル押下の解除により、ティーアップを行える。【選択図】  図２
0003173718.tif 000002
【実用新案登録請求の範囲】
【請求項１】
マット上に立設され、内部に複数個のゴルフボールを収容可能なストッカーから前記ゴルフボールを一列に並べて、先端近傍に設けられたボールゲート機構を介して外部に前記ゴルフボールを１個ずつ排出し、ティーアップ位置に前記ゴルフボールを供給可能なボール供給装置と、
前記マット下に形成された空間内に設置され、前記ティーアップ位置に供給された前記ゴルフボールを、前記マット上に設けられたペダル押下により、付勢手段により初期ティーアップ位置を保持するロッド部材を、前記付勢手段の付勢力に抗して押し下げて前記空間内に降下させるとともに、前記ペダル押下を解除して前記付勢手段により、初期ティーアップ位置に復帰可能なティーアップ装置とを備え、
前記ティーアップ装置のペダル押下に伴い、前記ボール供給装置のボールゲート機構を動作させて、前記ゴルフボールを１個のみ前記ボール供給装置から前記ティーアップ位置まで排出供給し、その後のペダル押下の解除により、前記ゴルフボールのティーアップを行うことを特徴とするゴルフボール供給ティーアップ装置。
【請求項２】
前記ボールゲート機構は、前記ペダル押下に伴って前記空間内に引き込まれる開閉動作ワイヤによりボール供給路内でゲート開閉部材が動作して、前記ボール供給装置から前記ゴルフボールを１個ずつ排出させる請求項１に記載のゴルフボール供給ティーアップ装置。
【請求項３】
前記ティーアップ装置は、前記マットのティーアップ位置に形成された開孔に供給された前記ゴルフボールを、前記ロッド部材が支持するティーで持ち上げて前記ゴルフボールのティーアップを行う請求項１に記載のゴルフボール供給ティーアップ装置。
【請求項４】
前記ロッド部材は、上側にネジロッドを有し、該ネジロッドの長さ調整を行って、前記ゴルフボールのティーアップ高さを調整可能な請求項３に記載のゴルフボール供給ティーアップ装置
【請求項５】
前記ティーは、合成ゴム製の既製品を着脱自在に用いた請求項３または請求項４に記載のゴルフボール供給ティーアップ装置。
【請求項６】
前記前記ゲート開閉部材は、線材加工部材からなり、直線状部材と、前記ボール供給路の内周にほぼ沿う形状の曲線状部材とを有する請求項２に記載のゴルフボール供給ティーアップ装置。
【考案の詳細な説明】
【技術分野】
【０００１】
本考案はゴルフボール供給ティーアップ装置に係り、特にモータ等を使用せずに、簡易な機構を組み込むことにより、ゴルフボールの供給と、ゴルフボールのティーアップを可能にしたゴルフボール供給ティーアップ装置に関する。
【背景技術】
【０００２】
従来、ゴルフ練習場では、各練習打席に、ゴルフボールの供給と所定高さのティーアップを行える装置、あるいはマットに組み込まれた合成ゴム製のティーパーツ（以下、単にゴムティーと記す。）上に、アーム等を利用してゴルフボールを供給する装置等、各種のゴルフボール供給ティーアップ装置が設置されている。
【０００３】
前者のゴルフボール供給ティーアップ装置は、ゴルフボールの供給、ティーアップ等の機構の連係をとるために、各種のセンサ等を設けてモータ等の駆動装置を動作させるため、高価な装置となってしまう。後者の装置では、アーム回転の設定とティーの位置がずれてしまうと、うまくティー上にボールをセットできない場合もある。
【０００４】
このような装置が設置されていない練習場では、練習ゴルファーは、ボールをセットする都度、打席前のトレイ等に積まれたボールを取り出し、腰を屈めて拾い上げ、ティーに置く作業をしなければならない。年配者などにとって大きな身体的負担となっている。そこで、ゴルフボールのティーへのセットなどの練習ゴルファーの身体的負担を軽減できる、ティーアップ機能を備えた低コストのティーアップ装置も種々提案されている。
【先行技術文献】
【特許文献】
【０００５】
【特許文献１】特開平７−２２２８３５号公報
【特許文献２】特開２００１−２００６４０号公報
【考案の概要】
【考案が解決しようとする課題】
【０００６】
特許文献１に開示された発明は、装置の高さを低くした埋込タイプのティーアップ装置で、モータ等の電動部品を使用していないため、低コストで設置が容易であるという利点を有する。特許文献２に開示された発明は、ティーリフタ自体は、複数の検知装置によってボールのセット状態、ティー高さを検知し、その情報を元にモータの回転動作によってベルトの巻き取り、巻き解きが行われ、ティー昇降が実現する。機構はシンプルであるが、電動機構であるため、さらに低コスト化を図りたいとの要請が高い。
【０００７】
また、特許文献１，２に記載した装置は、いずれもボール供給のための付帯設備を必要とする。すなわち、ボール供給装置とティーアップ装置が別体である場合、装置間でボール供給と、ティーアップ動作の連係がない場合には、練習ゴルファーが２種類の装置間でのボールのティー位置への供給設定等を行わなければならない。位置設定に検知センサ等を利用している場合には、専門的な機器調整も必要になる場合もある。
【０００８】
そこで、本考案の目的は上述した従来の技術が有する問題点を解消し、モータ等の装置を用いない低コストの装置として、ボール供給とティーアップ動作とを連係させることができるゴルフボール供給ティーアップ装置を提供することにある。
【課題を解決するための手段】
【０００９】
上記目的を達成するために、本考案はマット上に立設され、内部に複数個のゴルフボールを収容可能なストッカーから前記ゴルフボールを一列に並べて、先端近傍に設けられたボールゲート機構を介して外部に前記ゴルフボールを１個ずつ排出し、ティーアップ位置に前記ゴルフボールを供給可能なボール供給装置と、前記マット下に形成された空間内に設置され、前記ティーアップ位置に供給された前記ゴルフボールを、前記マット上に設けられたペダル押下により、付勢手段により初期ティーアップ位置を保持するロッド部材を、前記付勢手段の付勢力に抗して押し下げて前記空間内に降下させるとともに、前記ペダル押下を解除して前記付勢手段により、初期ティーアップ位置に復帰可能なティーアップ装置とを備え、前記ティーアップ装置のペダル押下に伴い、前記ボール供給装置のボールゲート機構を動作させて、前記ゴルフボールを１個のみ前記ボール供給装置から前記ティーアップ位置まで排出供給し、その後のペダル押下の解除により、前記ゴルフボールのティーアップを行うことを特徴とする。
【００１０】
前記ボールゲート機構は、前記ペダル押下に伴って前記空間内に引き込まれる開閉動作ワイヤによりボール供給路内でゲート開閉部材が動作して、前記ボール供給装置から前記ゴルフボールを１個ずつ排出させることが好ましい。
【００１１】
前記ティーアップ装置は、前記マットのティーアップ位置に形成された開孔に供給された前記ゴルフボールを、前記ロッド部材が支持するティーで持ち上げて前記ゴルフボールのティーアップを行うことが好ましい。
【００１２】
前記ロッド部材は、上側にネジロッドを有し、該ネジロッドの長さ調整を行って、前記ゴルフボールのティーアップ高さを調整できるようにすることが好ましい。
【００１３】
前記ティーは、合成ゴム製の既製品を着脱自在に用いることが好ましい。
【００１４】
前記ゲート開閉部材は、線材加工部材からなり、直線状部材と、前記ボール供給路の内周にほぼ沿う形状の曲線状部材とを有することが好ましい。
【考案の効果】
【００１５】
以上に述べた構成からなる本考案によれば、簡単な部品構成によって、ゴルフボール供給からボールのティーアップ動作までの一連の動作が行える装置となるため、低コストで練習効率の高い装置を提供できるという効果を有する。
【図面の簡単な説明】
【００１６】
【図１】本考案のゴルフボール供給ティーアップ装置が設置された状態を示した外観説明図。
【図２】ゴルフボール供給ティーアップ装置によってボールが供給され、ティーアップが完了した状態を示した装置内部の説明図。
【図３】図２に示したゴルフボール供給ティーアップ装置でボールが供給されている状態を示した説明図。
【図４】図２に示したゴルフボール供給ティーアップ装置でボールがティーアップされている途中を示した説明図。
【図５】ゴルフボール供給ティーアップ装置におけるボールの供給状態を示した部分拡大説明図。
【図６】ゴルフボール供給ティーアップ装置におけるティーアップ動作状態を示した説明図。
【図７】ゴルフボール供給ティーアップ装置におけるティー高さのためのロッド長調整機構の構成及び動作状態を示した説明図。
【考案を実施するための形態】
【００１７】
以下、本考案のゴルフボール供給ティーアップ装置の実施するための形態として、以下の実施例について添付図面を参照して説明する。
【実施例】
【００１８】
図１は、本考案のゴルフボール供給ティーアップ装置１を正面上方から示した模式構成図である。同図に示したように、このゴルフボール供給ティーアップ装置１は、ゴルフボール（以下、単にボール２と記す。）を１個ずつ、マット上に供給可能なボール供給装置と、図２以後に示したような地下ピット４内に設置されたティーアップ装置２０と、ボール供給装置１０とティーアップ装置２０との連動を開始させるペダル機構３０とから構成されている。図２〜図４は、ティーアップ装置２０の構成と動作状態とを示した一部断面図である。
【００１９】
［ボール供給装置の構成］
ボール供給装置１０は、図１及び図２に示したように、タワー状をなし、上部にボールストッカー１１を備え、このティーアップ装置２０と連動して、ボール供給パイプ１３の先端１３ａからボール２を１個ずつ供給可能な機構（ボールゲート機構４０：図６を参照して後述する。）を備えている。ボールストッカー１１は、図１，図２に示したように、上部開放端が広がった形状の逆角錐台状をなし、このボールストッカー１１の底部にボール供給路１２が連通している。ボール供給路１２は、ボール２が列状をなして連続して供給できるように直径に設定され、さらにタワー外部には、タワー外周を取り囲むように略らせん状をなしたボール供給パイプ１３が内部のボール供給路１２に連続するように設けられている。このボール供給パイプ１３の先端は、図１，図２に示したように、下面側が尖った斜め形状に切断され、パイプ先端は樋状となり、この樋状のパイプ先端１３ａから排出されたボール２は、図１に示した人工芝マット３上に滑らかに転がり出ることができる。図１，図２は、ボール２が供給されティー位置まで転がった後、ティーアップ装置２０のティー上端に載置され、ティーアップされた状態が示されている。
【００２０】
［ティーアップ装置の構成］
ティーアップ装置２０は、図２，図３に示したように、所定空間からなる地下ピット４を構成するためのボックス２１内に、ティー２２を昇降可能なシリンダロッド機構２３と、その先端が、シリンダロッド機構２３のロッド２３２に、ピン２４ａを介して連結され、他端が所定高さの台座２５にヒンジ支点２６を介して支持されたスイングアーム２４と、スイングアーム２４の初期位置を保持するためにスイングアーム２４に下端が固着された引張スプリング２７とを備えている。シリンダロッド機構２３は、ティーアップ位置に立設され、シリンダ２３１内に昇降可能にロッド２３２が収容保持されている。シリンダロッド機構２３は、練習ゴルファーＧがクラブ８でボール２をヒットした際に伝わる打撃衝撃力によっても立設位置が狂わないように、各所がステイ２３３で支持されている。ロッド２３２は、パイプからなり、上部内周には、後述するロッド長調整機構２５０が螺合する雌ねじが形成されている。このロッド２３２とロッド長調整機構２５０とは、スイングアーム２４の揺動により、上下方向に所定量だけ昇降する。
【００２１】
［ロッド長調整機構の構成とティー高さ調整例］
ロッド長調整機構２５０の構成について、図７を参照して説明する。図７（ａ−１）に示したように、シリンダ機構２３のロッド２３２の上端にはロッド長調整機構２５０のネジロッド２５１がナット２５３で位置保持可能に螺合されている。さらにネジロッド２５１上端には板状フランジ２３４が弛み防止を図った二重ナット２５２を介して支持されている。このロッド長調整機構２５０では、ネジロッド２５１の下端をロッド２３２内にねじ込む長さを調整することにより、板状フランジ２３４に載置されるゴムティー２２の高さ調整を容易に行える。図７（ａ−１），図７（ａ−２）はドライバーショット等の練習のためのハイティー（高いティー高さＨ１）に対応するようにネジロッド２５１を伸長した状態で、ナット２５３によりロッド２３２を固定保持し、シリンダロッド機構２３のロッド２３２を昇降させた状態を示している。すなわち、図７（ａ−１）に示した状態から、後述するように、ティーアップ装置２０のスイングアーム２４（図２他）が上方に回動することで、ロッド２３２とネジロッド２５１とを一体的に上昇させ、開孔５まで転がって停止しているボール２を同図（ａ−２）に示したように、ティーアップすることができる。同様に、低いティー高さＨ２にするためには、図７（ｂ−１）に示したように、ネジロッド２５１の下部をロッド２３２内に所定量（Ｈ１−Ｈ２）だけねじ込んで、その高さをナット２５３で保持させればよい。この状態からティーアップすると同図（ｂ−２）に示したように、低いティー高さＨ２にボール２をティーアップすることができる。このように、練習ゴルファーＧは、ロッド調整機構２５０のネジロッド２５１のロッド２３２側のナット２５３を緩めてネジロッド２５１の長さを調整することで、図７（ａ−２），（ｂ−２）に示したように、好みのティー高さを容易に設定することができる。
【００２２】
練習ゴルファーＧがスイングしてクラブ８でボール２をヒットした際に、ゴムティー２２にもクラブ８からの打撃力が伝わる。このとき、板状フランジ２３４とゴムティー２２とがゆるく固定されているため、クラブ８による衝撃力が加わった瞬間にゴムティー２２が、固定具２３５で固定された範囲で跳ねあがるように板状フランジ２３４から持ち上がる。これにより、衝撃力がティーアップ装置２０のロッド２３２に伝わるのを最小限にできる。
【００２３】
他の部材として、ティーアップ装置２０のスイングアーム２４を所定角度だけ回動させるために、ペダル機構３０が備えられている。このペダル機構３０のペダル３１部分は、図１，図２に示したように、人工芝マット３上に位置する、滑り止め加工された金属板からなり、下端がマット３上のヒンジ支点３２で支持され、先端（つま先側）が持ち上がった状態、すなわち所定の踏みしろが確保された初期状態にある。ペダル先端の下面側には押し下げロッド３３がピン結合により吊持されている。この押し下げロッド３３は所定の剛性を有する細径の鋼棒からなり、その下半部は地下ピット４内に位置し、地下ピット４内で、ほぼ鉛直な状態が保てるように、中間位置が支持フランジ３４で保持されている。押し下げロッド３３は、練習ゴルファーＧがペダルを踏み込んだ際に、ほぼ全体が地下ピット４内に、ほぼ鉛直をなして押し込まれ、スイングアーム２４に上方から当接し、押し込み分でスイングアーム２４を所定角度回動させることができる。
【００２４】
さらに、他の構成部材として、ボール供給装置１０のボールゲート機構４０（その構成と動作は、後に図６を参照して説明する。）の開閉動作ワイヤ４１が張設されている。この開閉動作ワイヤ４１は、図２，図３に示したように、その一端４１ａがスイングアーム２４の先端側に定着され、２個の方向転換用プーリ４２，４３に掛け渡され、他端４１ｂがボールゲート機構４０のレバー部４６ａ（図６各図）に定着されている。
【００２５】
なお、ティーアップ装置２０は地下ピット４内に設置されていると説明したが、地下ピット４としては、図２に示したように、地盤を所定深さに掘り下げて、その部分に、作用土圧に抵抗可能で、シリンダロッド機構２３等の各部材を所定位置に固定保持可能な板厚と強度とを有するボックス構造を埋設したり、所定の高さの台状のフレームを組んで、そのフレームにボックス構造を組み込んで固定させることができる。ボックス構造としては、合成樹脂製、金属製、木製等が好ましい。必要に応じて防水構造、排水構造を備えることも好ましい。
【００２６】
ここで、ティーアップ装置２０のティー昇降動作について、図５と対応した状態を示す図２〜図４を参照して説明する。
図５（ａ）は、図１に対応したティーアップ状態を示している。同図に示したように、シリンダロッド機構２３に収容されたロッド２３２は、引張スプリング２７の初期状態において、シリンダ２３１内の最上方に位置するように保持されている。この保持機構としては、本実施例では、シリンダ２３１の側面に形成された細長孔形状のスリット２３６に挿通された支持ピン２３７がロッド２３２を貫通するように取り付けられている。この支持ピン２３７の両端は、シリンダ２３１側面に配置された保持プレート２３８によって、シリンダ２３１に対して上下方向にスリット２３６の範囲をスライド可能に取り付けられている。よって、この支持ピン２３７が貫通するロッド２３２も同様に、シリンダ２３１の軸線に沿って上下方向にスライド（昇降）することができる。このとき保持プレート２３８の一端には、軽量Ｃ型鋼からなるスイングアーム２４のピン支点２４ａが接合されている。このスイングアーム２４には、図５（ａ）他に図示したように、引張スプリング２７の下端、開閉動作ワイヤ４１の一端４１ａが定着されている。この状態で、図５（ａ）に示したように、練習ゴルファーＧがペダル３１を踏み込むと、ペダル３１に連結した押し下げロッド３３が押し下げられ、その下端がスイングアーム２４に当接し、スイングアーム２４を、引張スプリング２７の引張力に抵抗するように、ヒンジ支点２６回りに、ほぼ水平まで回動させる（図５（ｂ））。
【００２７】
図５（ｂ）に示した状態では、ゴムティー２２は完全に地下ピット４内に降下している。そしてこのタイミングで、図３に示したように、ボール供給装置１０のボールゲート機構４０の先端からボール２が１個のみ転がり出る。このボール２は、ボール供給パイプ１３の先端の傾斜部に沿って転がり出るため、その勢いでゴムティー２２が降下して現れた開孔５まで到達して、この開孔５に嵌まるようにして停止する。その位置は降下したゴムティー２２の直上に位置するため、図４に示したように、練習ゴルファーＧが踏みつけたペダルから足を緩めるのに合わせて、引張スプリング２７の短縮方向への付勢力により、スイングアーム２４が上昇する。同時にスイングアーム２４先端の地下ピット４内からゴムティー２２が上昇する。ゴムティー２２の上端が開孔５を通過するとき、その位置にあるボール２を下方から支えて、ボール２はゴムティー２２の上昇とともに、持ち上げられるように所定の高さまで上昇する。このようにして、練習ゴルファーＧの希望する高さにボール２がティーアップされ、準備完了状態となる（図１，図２）。
【００２８】
［ボールゲート機構の構成とティーアップ動作との連動］
本考案では、図５（ａ），（ｂ）に示したように、ペダル３１の操作により、ティーの昇降が可能となるが、このときティーの１回の昇降に伴い、ボール２が１個ずつティー位置に供給される点が、この装置の技術的特徴のひとつである。
この技術的特徴について、図６各図を参照して説明する。図６（ａ）にはボール２が収容されたボール供給パイプ１３の先端部分が二点鎖線で示され、その先にゴムティー２２がティーアップされた状態が示されている。なお、通常、ボール供給パイプ１３内には、先頭のボール２Ａの後方に連続してボール２Ｂが連なって収容されているが、図６各図では、説明の簡単化のために、ボール２個（２Ａ，２Ｂ）のみを示している。ボール供給パイプ１３の先端１３ａ近傍には、ボールゲート機構４０が設置されている。このボールゲート機構４０は、図示しない台７上（図１，図２他に図示）に軸受部４５を介して回動可能に支持されたゲート開閉部材４６と、このゲート開閉部材のレバー部に定着された開閉動作ワイヤ４１とからなる。ゲート開閉部材４６は、図６（ａ），（ｂ）に示したように、本実施例では、所定太さの鋼線部材で、略コ字形のフォーク状をなす本体と、本体のうち軸受で支持された部位にさらに凸状となるレバー部４６ａとが曲げ加工により形成されている。本体線材のパイプ開放端（先端）側の一方は直線状部材４６ｂからなり、初期状態において、ボール供給パイプ１３に形成されたスリット１３ｂ内に収容され、図６（ａ）に示したように、ボール２Ａの前方を塞ぐストッパとして機能している。このため、ボール２Ａはパイプ１３内で停止した状態にある。本体線材の一方の部材は、パイプの内径にほぼ等しいカーブ形状部を有する曲線状線材４６ｃからなり、図示しないスリットから内部に収容され、初期状態において、パイプ１３内面に内接するように位置している。この状態では、ボール２Ｂは曲線状線材上を乗り越えて転がることができる。
【００２９】
図５（ａ），図６（ａ）に示した状態で、練習ゴルファーＧがペダル３１を踏み込むと、前述したように、押し込みロッド３３の下端がスイングアーム２４に当接してスイングアーム２４が下方に向けて回動し、それに合わせてスイングアーム２４に連結された開閉作動ワイヤ４１が、図５（ｂ），図６（ｂ）に示したように、地下ピット４内に引き込まれる。この動作により、ゲート開閉部材４６のレバー部４６ａが矢印Ａ方向に回動する（図６（ｂ））。同時にゲート開閉部材４６の直線状線材４６ｂが跳ね上げられるようにスリット１３ｂからパイプ１３外に出るように回動し、ボール２Ａのストッパが解除状態となり、ボール２Ａはボール供給パイプ１３の傾斜に沿って先端側から転がり出る。また同時にゲート開閉部材４６の曲線状線材４６ｃも同角度分パイプ１３内で回動する。これにより、ボール２Ｂの転がり方向の前方でストッパとして機能し、２個目のボール２Ｂが転がり出るのが阻止される。このとき１個目のボール２Ａは、人工芝マット３上の開孔５まで転がり、停止する。そして練習ゴルファーＧが図４に示したように、ペダル３１の踏み込みを緩めるようにペダル３１から足を離すと、ゲート開閉部材４６は、パイプ内で図６（ｃ）に示したように、初期状態（図６（ａ））に戻るように回動する。これにより、ゲート開閉部材４６の直線状線材４６ｂが回動して２個目のボール２Ｂが前方に移動するように転がった際のストッパとして機能する。そのとき同時に開孔５位置にあるボール２Ａは、ゴムティー２２の上昇により所定高さにティーアップされる。
【００３０】
上述した各機構を構成する部材は、同等の機能を果たすものであれば、代替する部材の可能である。たとえば上述のゲート開閉部材４６は線材を加工した部材からなるが、樹脂成形した部材等を使用することもできる。このように、本考案は上述した実施例に限定されるものではなく、各請求項に示した範囲内での種々の変更が可能である。すなわち、請求項に示した範囲内で適宜変更した技術的手段を組み合わせて得られる実施形態も、本考案の技術的範囲に含まれる。
【符号の説明】
【００３１】
１  ゴルフボール供給ティーアップ装置
２  ゴルフボール
３  人工芝マット（マット）
４  地下ピット
５  開孔
１０  ボール供給装置
１１  ボールストッカー
１２  ボール供給路
１３  ボール供給パイプ
２０  ティーアップ装置
２２  ゴムティー（ティー）
２３  シリンダロッド機構
２４  スイングアーム
３０  ペダル機構
３１  ペダル
３３  押し下げロッド
４０  ボールゲート機構
４１  開閉動作ワイヤ
４６  ゲート開閉部材
２３２  ロッド
２５０  ロッド長調整機構
【図１】
0003173718.tif 000003
【図２】
0003173718.tif 000004
【図３】
0003173718.tif 000005
【図４】
0003173718.tif 000006
【図５】
0003173718.tif 000007
【図６】
0003173718.tif 000008
【図７】
0003173718.tif 000009